(57)【要約】      （修正有）【課題】  小型化が容易な気密パッケージ形成用部品セットを提供する。【解決手段】  底部に開口部２２を有する金属製筒状容器２１、および該筒状容器の底部に嵌め合わされる、棒状電極端子を有する外形が長円状のステムからなる気密パッケージ形成用部品セットであって、前記筒状容器の開口面及び該開口面に平行な断面がともに、長円の形状で且つその長軸方向に沿う二つの辺のそれぞれに、直線部２６ａ，２６ｂあるいは曲率半径がステム外周とその長円短軸との交点におけるステム外周の曲率半径よりも大きい曲線部２５ａ，２５ｂを備えていることを特徴とする気密パッケージ形成用部品セット。【選択図】図２
2005158794.tif 000002
【特許請求の範囲】
【請求項１】
底部に開口部を有する金属製筒状容器、および該筒状容器の底部に嵌め合わされる、棒状電極端子を有する外形が長円状のステムからなる気密パッケージ形成用部品セットであって、前記筒状容器の開口面及び該開口面に平行な断面がともに、長円の形状で且つその長軸方向に沿う二つの辺のそれぞれに、直線部あるいは曲率半径がステム外周とその長円短軸との交点におけるステム外周の曲率半径よりも大きい曲線部を備えていることを特徴とする気密パッケージ形成用部品セット。
【請求項２】
筒状容器の開口面及び該開口面に平行な断面がともに、一対の半円と該一対の半円を各半円の両端部にて結ぶ直線部とから構成されていて、前記直線部の長さが半円の直径の０．３乃至２．０倍の範囲にある請求項１に記載の気密パッケージ形成用部品セット。
【請求項３】
上記直線部の長さが半円の直径の０．５乃至１．０倍の範囲にある請求項２に記載の気密パッケージ形成用部品セット。
【請求項４】
筒状容器の開口面及び該開口面に平行な断面がともに、その短軸方向に沿う二つの辺のそれぞれに、直線部あるいは曲率半径がステム外周とその長円長軸との交点におけるステム外周の曲率半径よりも大きい曲線部を備えている請求項１に記載の気密パッケージ形成用部品セット。
【発明の詳細な説明】
【技術分野】
【０００１】
本発明は、電子部品を気密封止するために好ましく用いることができる気密パッケージ形成用の部品セットに関する。
【背景技術】
【０００２】
水晶振動子素子や半導体素子などの電子部品においては、大気中に含まれる水分や酸素などの影響による電気的特性の変動が問題となる場合がある。このため、このような水分等の影響を受けやすい電子部品は気密パッケージに収容され、その電気的特性の安定化が図られている。一般に、気密パッケージの形成には、底部に円形開口部を有する金属製筒状容器、及びこの筒状容器の底部に嵌め合わされる、棒状電極端子を有する外形が円形のステムからなる部品セットが広く用いられている。
【０００３】
特許文献１には、筒状容器の開口部の形状とステムの外形とをともに楕円形状とした気密パッケージ形成用の部品セットが開示されている。図１は、特許文献１に記載の気密パッケージ形成用部品セットの使用の態様を示す図である。図１（Ａ）は、水晶振動子素子が収容された気密パッケージをその筒状容器の底部開口部の楕円長軸に沿って切断した断面図であり、そして図１（Ｂ）は、筒状容器の底部開口部の楕円短軸に沿って切断した断面図である。
【０００４】
図１に示すように、気密パッケージ１は、底部に楕円形状の開口部を有する金属製筒状容器４、および筒状容器４の底部に嵌め合わされた、棒状電極端子６を有する外形が楕円形状のステム２から構成されている。ステム２は、金属製の環状部材５の内側に、棒状電極端子６がガラス７により封着された構成を有している。気密パッケージ１の内部には、水晶振動子素子３が、例えば、はんだにより棒状電極端子６に電気的に接続された状態で固定されている。
【０００５】
このように筒状容器４の開口部の形状とステム２の外形とをともに楕円形状とすることにより、水晶振動子素子３のような平板状の電子部品を収容する場合に筒状容器の厚みを薄く設定することができるため、気密パッケージを小型化できるとされている。
【特許文献１】特開平１０−２４２３１６号公報
【発明の開示】
【発明が解決しようとする課題】
【０００６】
上記のように、筒状容器の開口部の形状とステムの外形とをともに楕円形状とすることにより気密パッケージをある程度までには小型化できるものの、筒状容器全体がその開口部の楕円形状と対応する膨らみをもった形状となるために小型化には限界があることがわかった。
【０００７】
本発明の目的は、小型化が容易な気密パッケージ形成用の部品セットを提供することにある。
【課題を解決するための手段】
【０００８】
本発明は、底部に開口部を有する金属製筒状容器、及びこの筒状容器の底部に嵌め合わされる、棒状電極端子を有する外形が長円状のステムからなる気密パッケージ形成用部品セットであって、前記筒状容器の開口面及びこの開口面に平行な断面がともに、長円の形状で且つその長軸方向に沿う二つの辺のそれぞれに、直線部あるいは曲率半径がステム外周とその長円短軸との交点におけるステム外周の曲率半径よりも大きい曲線部を備えていることを特徴とする気密パッケージ形成用部品セットにある。
【０００９】
本発明の気密パッケージ形成用部品セットの好ましい態様は、下記の通りである。
（１）筒状容器の開口面及びこの開口面に平行な断面がともに、一対の半円と、この一対の半円を各半円の両端部にて結ぶ直線部とから構成されていて、前記直線部の長さが半円の直径の０．３乃至２．０倍の範囲にある。
（２）上記直線部の長さが、半円の直径の０．５乃至１．０倍の範囲にある。
（３）筒状容器の開口面及びこの開口面に平行な断面がともに、その短軸方向に沿う二つの辺のそれぞれに、直線部あるいは曲率半径がステム外周とその長円長軸との交点におけるステム外周の曲率半径よりも大きい曲線部を備えている。
【００１０】
なお、本明細書において「長円」とは、楕円、及び半径が相対的に小さい一対の円弧と、この一対の円弧を各円弧の両端部にて結ぶ半径が相対的に大きい円弧とから構成される形状も含まれる。さらに長円には、その短軸との交点における曲率半径が、その長軸との交点における曲率半径よりも大きく設定されている限り、上記円弧の曲率を変化させた形状（例えば、上記円弧をその曲率を連続的に変化させて楕円の一部の形状としたもの）も含まれる。
【発明の効果】
【００１１】
本発明の気密パッケージ形成用部品セットは、底部に開口部を有する金属製筒状容器、及びこの筒状容器の底部に嵌め合わされる、棒状電極端子を有する外形が長円状のステムから構成されており、そして前記筒状容器の開口面及びこの開口面に平行な断面がともに、長円の形状で且つその長軸方向に沿う二つの辺のそれぞれに、直線部あるいは曲率半径がステム外周とその長円短軸との交点におけるステム外周の曲率半径よりも大きい曲線部を備えていることを特徴とする。このような形状の筒状容器の底部にステムを嵌め合わせることにより、ステムが嵌め合わされた部位においては筒状容器の開口部がステム外形と対応する長円の形状に広がって気密性が維持され、そして筒状容器上方の開口部の大部分は上記の直線部あるいは曲線部を備える形状が維持されるために、気密パッケージを小型化（特に、薄型化）することが容易である。
【発明を実施するための最良の形態】
【００１２】
本発明の気密パッケージ形成用部品セットは、底部に開口部を有する金属製筒状容器、及びこの筒状容器の底部に嵌め合わされる、棒状電極端子を有する外形が長円状のステムから構成され、そして前記筒状容器の開口面及びこの開口面に平行な断面がともに、長円の形状で且つその長軸方向に沿う二つの辺のそれぞれに、直線部あるいは曲率半径がステム外周とその長円短軸との交点におけるステム外周の曲率半径よりも大きい曲線部を備えていることを特徴とする。以下、このような長円の形状で且つその長軸方向に沿う二つの辺のそれぞれに直線部あるいは曲線部を備えた形状を、トラック形状と記載する。なお、トラック形状には、その短軸方向に沿う二つの辺のそれぞれに、直線部あるいは曲率半径がステム外周とその長円長軸との交点におけるステム外周の曲率半径よりも大きい曲線部を備えた形状も含まれる。
【００１３】
図２は、本発明の気密パッケージ形成用部品セットの金属製筒状容器の構成例を示す図である。図２（Ａ）は、筒状容器をその長さ方向に沿って切断した断面図であり、そして図２（Ｂ）は、筒状容器の底面図である。
【００１４】
図２の筒状容器２１は、洋白（Ｃｕ−Ｎｉ−Ｚｎ合金）から形成され、表面にＮｉメッキが施されている。筒状容器２１は、その幅Ｗ1 が１．２１５ｍｍに、長さＬ1 が５．５１ｍｍに、そして厚みＴ1 が０．７３７ｍｍに設定されている。
【００１５】
筒状容器２１の開口面及びこの開口面に平行な断面はともに、長円の形状で且つその長軸方向に沿う二つの辺のそれぞれに直線部２６ａ、２６ｂを備えている。
【００１６】
図２に示すように、筒状容器２１の開口面及びこの開口面に平行な断面はともに、一対の半円２５ａ、２５ｂと、一対の半円２５ａ、２５ｂを各半円の両端部にて結ぶ直線部２６ａ、２６ｂとから構成されていて、前記の直線部の長さが半円の直径の０．３乃至２．０倍の範囲に設定されていることが好ましい。直線部の長さは、半円の直径の０．５乃至１．０倍の範囲にあることがさらに好ましい。
【００１７】
図２の筒状容器２１の開口面及びこの開口面に平行な断面はともに、その半円の直径Ｄ1 が０．５９５ｍｍに、そして直線部の長さＬ2 が０．３８０ｍｍに設定されている。すなわち、前記直線部２６ａ、２６ｂのそれぞれの長さは、半円の直径の０．６４倍である。また、筒状容器２１の開口部２２の長軸方向の内径Ｄ2 は０．９７５ｍｍに、筒状容器の壁体の厚みＴ2 は０．０７１ｍｍに、そして壁体の厚みＴ3 は０．１２０ｍｍに設定されている。
【００１８】
筒状容器は、例えば、洋白（Ｃｕ−Ｎｉ−Ｚｎ合金）あるいはリン青銅（Ｃｕ−Ｓｎ−Ｐ合金）などの金属材料から形成された板材を絞りプレス加工することにより、あるいは前記の金属材料から形成された棒材を切削加工することにより作製される。
【００１９】
図３は、本発明の気密パッケージ形成用部品セットのステムの構成例を示す図である。図３（Ａ）は、ステムの平面図であり、そして図３（Ｂ）は、図３（Ａ）に記入した切断線Ｉ−Ｉ線に沿って切断したステムの断面図である。
【００２０】
図３のステム３１は外径が長円状とされ、金属製の環状部材３２の内側に、棒状電極端子３３がガラス３４により封着された構成を有している。水晶振動子素子などの電子部品は、例えば、はんだや導電性接着剤により棒状電極端子３３の上部に電気的に接続された状態で固定される。
【００２１】
図３の環状部材３２は、コバールから形成され、表面にＣｕメッキ処理、次いでＳｎ／Ｐｂメッキ処理が施されている。棒状電極端子３３はコバールから形成され、表面に環状部材３２と同様のメッキ処理が施されている。
【００２２】
図３のステム３１は、その外形の長円が、半径が相対的に小さい一対の円弧３５ａと、この一対の円弧３５ａを各円弧の両端部にて結ぶ半径が相対的に大きい一対の円弧３５ｂから構成されている。円弧３５ａの半径は０．３２９ｍｍ、開き角αは１３８．５９度に設定され、そして円弧３５ｂの半径は０．９５３ｍｍ、開き角βは４１．４１度に設定されている。また、ステムの短軸方向の外径Ｄ3 は０．７１ｍｍに、そして長軸方向の外径Ｄ4 は１．０２ｍｍに設定されている。環状部材３２の長さＬ3 は０．８２ｍｍ、そして各々の棒状電極端子の直径は０．１８５ｍｍである。
【００２３】
環状部材は、例えば、コバール（Ｆｅ−Ｎｉ−Ｃｏ合金）、Ｆｅ−Ｎｉ合金、あるいは鉄などの金属材料から形成された板材を絞りプレス加工することにより、あるいは前記の金属材料から形成された棒材を切削加工することにより作製される。棒状電極端子は、例えば、コバールもしくはＦｅ−Ｎｉ合金などの金属材料から形成される。
【００２４】
図２の筒状容器の底部に電子部品（例、水晶振動子素子）が固定された図３のステムを嵌め合わせる（圧入する）ことにより、電子部品が気密封止される。そして、ステムが嵌め合わされた部位においては筒状容器の開口部がステム外形と対応する長円の形状に広がって気密性が維持され、そして筒状容器上方の開口部の大部分は上記トラック形状が維持されるために、気密パッケージを小型化（特に、薄型化）することができる。
【００２５】
上記のように、本発明の気密パッケージ形成用部品セットにおいては、筒状容器の開口面及びこの開口面に平行な断面の形状を工夫することにより、気密パッケージの小型化が容易とされている。図２の筒状容器の底部に図３のステムを嵌め合わせた後の気密パッケージの厚みは、ステムが嵌め合わされた部位ではおよそ０．８３〜０．８５ｍｍであり、そしてこれ以外の部位では０．７３７ｍｍ（図２の筒状容器２１の厚みＴ1 ）である。このような小型の気密パッケージを形成する部品セットは、腕時計や携帯電話などの携帯型の電気製品に付設される水晶振動子素子を気密封止するために特に好ましく用いることができる。
【図面の簡単な説明】
【００２６】
【図１】従来の気密パッケージ形成用部品セットの使用の態様を示す図である。
【図２】本発明の気密パッケージ形成用部品セットの金属製筒状容器の構成例を示す図である。
【図３】本発明の気密パッケージ形成用部品セットのステムの構成例を示す図である。
【符号の説明】
【００２７】
１  気密パッケージ
２  ステム
３  水晶振動子素子
４  金属製筒状容器
５  金属製環状部材
６  棒状電極端子
７  ガラス
２１  金属製筒状容器
２２  開口部
２５ａ、２５ｂ  半円
２６ａ、２６ｂ  直線部
３１  ステム
３２  環状部材
３３  棒状電極端子
３４  ガラス
３５ａ  円弧
３５ｂ  円弧
Ｗ1   筒状容器の幅
Ｌ1   筒状容器の長さ
Ｔ1   筒状容器の厚み
Ｄ1   筒状容器の開口部の半円の直径
Ｄ2    筒状容器の開口部の長軸方向の内径
Ｌ2   筒状容器の開口部の直線部の長さ
Ｔ2   筒状容器の壁体の厚み
Ｔ3   筒状容器の壁体の厚み
Ｄ3   ステムの短軸方向の外径
Ｄ4   ステムの長軸方向の外径
Ｌ3   環状部材３２の長さ
α  ステム外形の長円の円弧３５ａの開き角
β  ステム外形の長円の円弧３５ｂの開き角
【図１】
2005158794.tif 000003
【図２】
2005158794.tif 000004
【図３】
2005158794.tif 000005